(57)【要約】【課題】一般に流布している携帯端末や携帯カメラなどを用いて、簡便に、且つ精度良く真贋判定を実施することが可能な、偽造防止媒体ならびに偽造防止媒体を識別するための識別装置を提供する。【解決手段】基材上に蛍光インキ層が設けられて成り、前記蛍光インキ層は、少なくとも４００〜５００ｎｍの間に励起ピークを有し、前記蛍光インキ層が、励起光によって発光した光の残光を、ＲＧＢのフィルムを有する画像センサで撮像して輝度測定した際に、少なくとも１つの色の前記輝度が、一定時間毎に小さくなることを特徴とする偽造防止媒体。【選択図】図１
2018132805.tif 000002
【特許請求の範囲】
【請求項１】
基材上に蛍光インキ層が設けられて成り、前記蛍光インキ層は、少なくとも４００〜５００ｎｍの間に励起ピークを有し、
前記蛍光インキ層が励起光によって発光した光の残光を、Ｒ（赤色）、Ｇ（緑色）、Ｂ（青色）のフィルタを有する画像センサで撮像して輝度測定した際に、
少なくとも１つの色の前記輝度が、一定時間毎に小さくなることを特徴とする偽造防止媒体。
【請求項２】
前記蛍光インキ層が、パターン状に形成されて成り、前記パターンが、情報コードであることを特徴とする請求項１に記載の偽造防止媒体。
【請求項３】
前記蛍光インキ層上の少なくとも一部に、絵柄層が設けられていることを特徴とする請求項１または請求項２に記載の偽造防止媒体。
【請求項４】
前記絵柄層が、前記蛍光インキ層からの残光の発光ピーク波長に対し、光透過性を有する色素を少なくとも含むことを特徴とする請求項３に記載の偽造防止媒体。
【請求項５】
前記絵柄層が、微細なドット状のインキ層からなり、ドット状のインキ層を有しない空隙の面積よりも、前記インキ層の面積が小さいことを特徴とする請求項３または請求項４に記載の偽造防止媒体。
【請求項６】
請求項１から請求項５のいずれかに記載の偽造防止媒体を判別するための装置であって、
可視光を発光するＬＥＤフラッシュ部と、画像センサ部と、制御部と、を少なくとも備えて成り、
前記ＬＥＤフラッシュ部が発光し、消光した後の一定時間後に、前記画像センサ部による撮像、並びに画像認識を行うことを特徴とする偽造防止媒体を識別するための識別装置。
【請求項７】
前記画像センサ部が撮像する毎に、前記ＬＥＤフラッシュ部が発光し、
前記ＬＥＤフラッシュ部が発光ならびに消光した後の撮像を、一定時間毎に、順次複数回行うことを特徴とする請求項６に記載の偽造防止媒体を識別するための識別装置。
【発明の詳細な説明】
【技術分野】
【０００１】
本発明は、真贋判定が可能な偽造防止媒体と、偽造防止媒体を識別するための識別装置に関するものである。
【背景技術】
【０００２】
有価証券、カードおよび通行券などの貴重印刷物や、運転免許証、パスポートおよび保険証など個人を認証する証明証書、物品を真正と証明するステッカー等の偽造防止媒体は、第三者に偽造および改竄されないために常に新たな偽造防止媒体を盛り込むことが要求されており、併せて真正品であるかどうかの判断が可能な真偽判別方法が必要とされている。
【０００３】
上記偽造防止技術としては、セキュリティ性を高めるために、マイクロ文字、コピー牽制パターン、赤外線吸収インキあるいは蛍光発光インキなど、多様な技術が、単独あるいは複合的に用いられている。
【０００４】
この様な偽造防止技術のうち、蛍光発光インキとは、通常の可視光下においては、肉眼による視認が困難であり、紫外線や赤外線などを照射することにより、目視あるいは検出器によってマークを検出することが可能となるインキなどである。
【０００５】
上記蛍光発光インキについては、偽造や変造を防止するための手段として、種々の提案がなされている。
【０００６】
例えば、特許文献１では、紫外線で励起させることにより、Ｒ（赤色）、Ｇ（緑色）、Ｂ（青色）の発光を行う３種類の蛍光体を含むインキを用いて、基材に画像を形成し、可視光下では見えないが、励起光を照射した際に、ＲＧＢ光を発光させ、加法混色によって、蛍光画像が現れる様にする画像形成方法が提案されている。
【０００７】
しかしながら、ブラックライトや赤外線を用いた検査器は、汎用的には持ち歩かれていないため、検査する時に備えて、特別な検査器を持っていなければならないという問題点があった。
【０００８】
そこで、特許文献２では、通常用いられている携帯情報端末のカメラや携帯カメラ等に含まれる撮像装置を用いて、真偽の識別判定が可能な偽造防止媒体およびその識別をするための識別プログラムが提案されている。
【先行技術文献】
【特許文献】
【０００９】
【特許文献１】特開平１０−０３５０８９号公報
【特許文献２】特開２０１６−１０１６６２号公報
【発明の概要】
【発明が解決しようとする課題】
【００１０】
本発明は、このような状況に鑑み、特許文献２の読取方式において、より精度よく真贋判定を実施することを目的とし、通常用いられている携帯情報端末や携帯カメラ等に含まれる撮像装置を用いて、真偽の識別判定可能な偽造防止媒体およびその識別を実施するための識別装置を提案する。
【課題を解決するための手段】
【００１１】
本発明はこれらの課題を解決すべくなされたものである。
すなわち、請求項１に記載の発明は、基材上に蛍光インキ層が設けられて成り、前記蛍光インキ層は、少なくとも４００〜５００ｎｍの間に励起ピークを有し、前記蛍光インキ層が励起光によって発光した光の残光を、Ｒ（赤色）、Ｇ（緑色）、Ｂ（青色）のフィルタを有する画像センサで撮像して輝度測定した際に、少なくとも１つの色の前記輝度が、一定時間毎に小さくなることを特徴とする偽造防止媒体である。
【００１２】
請求項２に記載の発明は、前記蛍光インキ層が、パターン状に形成されて成り、前記パターンが、情報コードであることを特徴とする請求項１に記載の偽造防止媒体である。
【００１３】
請求項３に記載の発明は、前記蛍光インキ層上の少なくとも一部に、絵柄層が設けられていることを特徴とする請求項１または請求項２に記載の偽造防止媒体である。
【００１４】
請求項４に記載の発明は、前記絵柄層が、前記蛍光インキ層からの残光の発光ピーク波長に対し、光透過性を有する色素を少なくとも含むことを特徴とする請求項３に記載の偽造防止媒体である。
【００１５】
請求項５に記載の発明は、前記絵柄層が、微細なドット状のインキ層からなり、ドット状のインキ層を有しない空隙の面積よりも、前記インキ層の面積が小さいことを特徴とする請求項３または請求項４に記載の偽造防止媒体である。
【００１６】
請求項６に記載の発明は、請求項１から請求項５のいずれかに記載の偽造防止媒体を判別するための装置であって、可視光を発光するＬＥＤフラッシュ部と、画像センサ部と、制御部と、を少なくとも備えて成り、前記ＬＥＤフラッシュ部が発光し、消光した後の一定時間後に、前記画像センサ部による撮像、並びに画像認識を行うことを特徴とする偽造防止媒体を識別するための識別装置である。
【００１７】
請求項７に記載の発明は、前記画像センサ部が撮像する毎に、前記ＬＥＤフラッシュ部が発光し、前記ＬＥＤフラッシュ部が発光ならびに消光した後の撮像を、一定時間毎に、順次行うことを特徴とする請求項６に記載の偽造防止媒体を識別するための識別装置である。
【発明の効果】
【００１８】
本発明によれば、通常用いられる携帯情報端末や携帯カメラ等は、ＬＥＤライトおよびＬＥＤフラッシュが付属された画像撮像装置を備えており、ＬＥＤフラッシュの点灯指示と消光後の任意の時間後に画像センサ部に対する画像撮像指示を生成することができる。
【００１９】
この様な機能を有する汎用的な画像撮像装置を用いることにより、本発明の偽造防止媒体に対し、ＬＥＤフラッシュの照射による燐光現象の有無および減衰比を判定することにより、高精度の真贋判定を実施することが可能となる。
【図面の簡単な説明】
【００２０】
【図１】本発明の実施形態に係る偽造防止媒体の一例を示す図である。（Ａ）偽造媒体の一例を示す平面図（Ｂ）（Ａ）のＸ−Ｘ切断面の断面構成例を示す断面図。
【図２】本発明の実施形態に係る蛍光インキの励起特性例を示すグラフである。
【図３】本発明の実施形態に係る蛍光インキの発光特性例を示すグラフである。
【図４】本発明の実施形態に係る蛍光インキの残光特性例を示すグラフである。
【図５】本発明の実施形態に係る識別装置の構成例を示す概略図である。
【図６】本発明の実施形態に係るＬＥＤフラッシュの発光特性例を示すグラフである。
【図７】図５における識別装置の制御部の動作例を説明するためのフロー図である。
【図８】本発明の実施形態に係る識別装置の動作例を示す概略図である。
【図９】本発明の実施形態に係る偽造防止媒体の一例を示す平面概略図である。
【図１０】本発明の実施形態に係る識別装置において、図１０の偽造防止媒体を識別する動作例を示す概略図である。
【発明を実施するための形態】
【００２１】
以下、本発明の実施形態について図面を参照しつつ説明する。
【００２２】
また、各図面は本発明の実施形態の１例を示すもので、これらに限定されるものではない。
【００２３】
（偽造防止媒体）
図１は、本発明の実施形態に係る偽造防止媒体１の構成例を示す平面図ならびにＸ−Ｘ切断面における断面構成例を示す断面図である。
【００２４】
図１の（Ａ）ならびに（Ｂ）では、偽造防止媒体１は、基材１１上に蛍光インキ層１２が設けられ、その上に絵柄層１３が設けられた構造となっており、基材１１の裏面側には、粘着層１４が設けられたステッカー構成の例が示されている。
【００２５】
基材１１は、オフセット印刷、フレキソ印刷、スクリーン印刷、グラビア印刷ができれば、基材の材質に特に制限はないが、ステッカーとして貼付する下地の影響を受けない白地のものが好ましいと言える。
【００２６】
このような基材として、具体的には、各種紙類の他に、ポリ塩化ビニル（ＰＶＣ）、ポリエチレンテレフタレート（ＰＥＴ）、ポリエチレンナフタレート（ＰＥＮ）、ポリカーボネート（ＰＣ）、ポリエチレン（ＰＥ）、ポリプロピレン（ＰＰ）などの樹脂からなるシート類、合成紙類などを単独あるいは積層した複合材などとして用いることができる。
【００２７】
また、樹脂からなるシートは、酸化チタンなどの体質顔料を添加したものや、発泡させたものなどを好適に用いることができる。
【００２８】
このような基材の厚みは特に限定されるものではないが、１０μｍ〜３００μｍ程度のものが好適に用いることができる。
【００２９】
蛍光インキ層１２は、図２の励起特性グラフ２の励起波形２１に例示したように、可視光領域の青色の領域である４００〜５００ｎｍの間に励起ピークを有する。
【００３０】
また、図３の発光特性グラフ３の発光波形３１に例示したように、少なくとも可視光領域で発光する特性を有している。
【００３１】
更には、図４の残光特性グラフ４の残光波形４１に例示したように、励起光の照射を止めても、僅かな時間ではあるが、残光を発する特徴を有しており、例えば、ｙ１ｍＳｅｃ後の残光の輝度値として、Ｒ１、Ｇ１、Ｂ１であったものが、ｙ３ｍＳｅｃ後の残光輝度値としては、Ｒ３、Ｇ３、Ｂ３まで、減衰する。
【００３２】
上記蛍光インキ層１２は、少なくともバインダ樹脂と、蛍光材料とからなり、蛍光材料としては、上述のような光特性を有する蛍光材料であれば、いずれも用いることができるが、励起光が照射されていない状態において、実質的に透明または白色であることが望ま
しい。
【００３３】
バインダ樹脂としては、各種インキに用いられる従来公知のバインダ樹脂であれば、いずれも用いることができ、例えば、アクリル系樹脂、ポリエステル系樹脂、ビニル系樹脂、ウレタン系樹脂、ポリアミド系樹脂、スチレン系樹脂などの各種熱可塑性樹脂、アルキッド樹脂、変性アルキッド樹脂、変性エポキシ樹脂、変性フェノール樹脂、ウレタン化油、ロジン、マレイン化油等のような酸化重合型樹脂、更には、モノマー、オリゴマー、プレポリマーなどからなるＵＶ硬化樹脂などを例示することができ、これらを単独、あるいは２種以上の混合物として用いることができる。
【００３４】
モノマーの例としては、例えば、アルキル（メタ）アクリレート、脂環式（メタ）アクリレート、アルキレングリコール型（メタ）アクリレート、エステル型（メタ）アクリレート、ビニル型（メタ）アクリレート、エーテル型（メタ）アクリレート、フェニル型（メタ）アクリレート、ベンジル型（メタ）アクリレート、フェノキシ型（メタ）アクリレート、ビスフェノール型（メタ）アクリレート、ビスフェノールＡ型（メタ）アクリレート、アルコール型（メタ）アクリレート、エポキシ型（メタ）アクリレート、アリル型（メタ）アクリレート、ペンタエリスリトール型（メタ）アクリレートなどを例示することができるが、これらに限定されるものではなく、単独あるいは２種以上の混合物として用いることができる。
【００３５】
また、プレポリマーとしては、例えば、ポリエステル（メタ）アクリレート、ウレタン（メタ）アクリレート、ポリブタジエン（メタ）アクリレート、ポリスチリル（メタ）アクリレート、エポキシ（メタ）アクリレートなどを例示することができるが、必ずしもこれらに限定されるものではなく、単独あるいは２種以上の混合物として用いることができる
蛍光材料としては、上述のような光特性を有するものであれば、いずれも用いることができ、例えば、イリジウム錯体などのような有機系材料や、希土類付活蛍光体などのような無機系材料を例示することができるが、必ずしもこれらに限定されるものではなく、これらの材料を単独、あるいは２つ以上の混合物として用いることができる。
【００３６】
上述のような蛍光インキには、レベリング剤、重合開始剤、酸化促進剤、増粘剤、などの従来公知の各種添加剤が更に添加されてあって良い。
【００３７】
この様な特徴を有する蛍光インキ層１２の上には、絵柄層１３が設けられる。絵柄層１３は、図１の偽造防止媒体１の平面図（Ａ）に示すように、下層にある蛍光インキ層１２の全面を有色インキで覆うのではなく、一部印刷しない部分、もしくは透明な部分を設けることが好ましい。
【００３８】
尚、蛍光インキ層１２が情報コードとして設けられている場合の絵柄層１３については、後ほど詳述する。
【００３９】
絵柄層１３は、従来公知の印刷方法のいずれの手法が用いられてあってもよく、オフセット印刷法、グラビア印刷法、フレキソ印刷法、スクリーン印刷法などの他に、インクジェット印刷法や、静電印刷法、熱転写法など、オンデマンドな印刷法が用いられてあっても何ら問題ない。
【００４０】
偽造防止媒体１の基材１１の裏面にある粘着層１４は、目的に応じて適宜設けることができ、材料は被着体に貼る適性を有するものであれば、特に指定するものではない。
【００４１】
また、偽造防止媒体１は、絵柄層１３の上、あるいは絵柄層１３と蛍光インキ層１２と
の間などいずれかの層に保護層などが設けられてあっても良く、保護層は実質的に透明、または半透明のものであれば、いずれの構成のものでも用いることができ、特に限定されるものではない。
【００４２】
（偽造防止媒体を識別するための識別装置）
図５は、本発明の実施形態に係る識別装置の構成例を示す概略図である。図５に示す通り、識別装置５は、画像センサ部５１、ＬＥＤフラッシュ部５２、制御部５３、表示部５４から構成され、制御部５３は、識別装置５の内部に設けられ、表示部５４は反対面に設けられている。
【００４３】
画像センサ部５１は、通常のデジタルカメラで使用されている撮像素子であるＣＣＤやＣＭＯＳなどを用いることができる。
【００４４】
ＬＥＤフラッシュ部５２は、蛍光インキ層１２の励起波長域の光を効率的に発することが望ましく、青色ＬＥＤと黄色蛍光体との組合せからなる白色ＬＥＤフラッシュを好ましく用いることができる。
【００４５】
この様な、青色ＬＥＤと黄色蛍光体との組合せからなる白色ＬＥＤフラッシュの発光特性は、図６に示す発光特性グラフ６の発光特性６１として例示することができる。
【００４６】
図７は、図５における識別装置５を用いて、偽造防止媒体１の真贋判定を行なうフローチャートを示している。
【００４７】
まず、識別装置５の画像センサ部５１であるカメラの位置および焦点を媒体（偽造防止媒体１）に合わせ（Ｆ１）、位置や焦点が合っている（Ｆ２）場合に、画像センサ部５１で、偽造防止媒体１を撮像する回数をカウントするためのｎをｎ＝０と設定する（Ｆ３）。
【００４８】
もしも、位置や焦点が合っていないと判断された場合には、再度、カメラを偽造防止媒体１にあわせる（Ｆ１）。
【００４９】
この様な、カメラを偽造防止媒体に合わせる動作は、操作をする作業者が、表示部５４であるモニタを目視確認しながら設定することができ、問題ないと判断した時に、シャッタボタンを押すなどの操作を求めることができる。
【００５０】
次いで、ＬＥＤフラッシュ５２をｔ秒の間点灯（Ｆ４）し、ＬＥＤフラッシュ５２を消光した後、蛍光インキ層１２の残光出力を、画像センサ部５１に設けられているＲＧＢフィルタを通して、各色の輝度値の変化として測定する。
【００５１】
そのため、予め設定された一定時間ｓに対し、ｎ×ｓ秒後のＲ（赤色）、Ｇ（緑色）、Ｂ（青色）における輝度値であるＲｎ、Ｇｎ、Ｂｎをそれぞれ測定し、記録（Ｆ５）する。
【００５２】
輝度値の測定ならびに記録がなされたところで、撮像する回数をカウントするためのｎに対し、１を加える（Ｆ６）。
【００５３】
ここで、識別装置５によって、偽造防止媒体１を撮像する回数、即ち蛍光インキ層１２から発せられる残光の輝度を何秒後（ｎ×ｓ秒後）まで測定するかは、適宜、事前に、Ｚとして入力設定されており、撮像回数ｎが、設定回数まで達したかどうか（Ｆ７）をチェックし、達していない場合には、再度ＬＥＤフラッシュをｔ秒点灯（Ｆ４）ならびに消光させ、撮像して、Ｒｎ、Ｇｎ、Ｂｎを測定し、記録（Ｆ５）することを、設定回数に達するまで繰り返し、実施する。
【００５４】
上記、輝度値Ｒｎ、Ｇｎ、Ｂｎの測定ならびに記録が、ＬＥＤフラッシュ５２が消光した後、所定の時間まで、繰り返し実施された（Ｆ７）場合には、ＬＥＤフラッシュ５２を点灯させない時のＲＧＢ輝度値であるＲ０、Ｇ０、Ｂ０をそれぞれ測定し、記録（Ｆ８）する。
【００５５】
次いで、それぞれ記録された輝度値、Ｒ０、Ｒ１、Ｒ２、‥‥、Ｒｎの輝度比較を実施し、同様に、Ｇ０、Ｇ１、Ｇ２、‥‥、Ｇｎの輝度比較、Ｂ０、Ｂ１、Ｂ２、‥‥、Ｂｎの輝度比較（Ｆ９）を実施する。
【００５６】
ＬＥＤフラッシュ部５２を点灯させない時のＲＧＢ輝度値であるＲ０、Ｇ０、Ｂ０と、所定時間経過後の各輝度の値の比が、適宜、事前に設定された所定の値に対し、適性範囲内であるかどうか（Ｆ１０）を判断し、適性範囲内であれば、ＯＫ表示（Ｆ１１）を行うと共に、蛍光インキ層１２が情報コードであるパターン状に形成されている場合には、コード読取（Ｆ１１）を実施する。
【００５７】
前記Ｆ１０の判断において、適性範囲外である場合には、ＮＧ表示（Ｆ１２）を実施し、偽造防止媒体１の識別、すなわち真贋判定ならびに情報コードの読取を終了する。
【００５８】
ここで、情報コードとは、画像センサ部５１で読取った際に、データ変換可能なコードであれば良く、従来公知の情報コードをいずれも用いることができる。
【００５９】
具体的には、バーコードや、ＱＲコード（登録商標）に代表される２次元コード、ＯＣＲなどを例示することができるが、これらに限定されるものではない。
【００６０】
図８に、実際に偽造防止媒体１を有価証券類８２に貼付した状態で、真贋判定を行なっている概略図を示す。
【００６１】
識別装置８１の画像センサ部５１を偽造防止媒体１に近づけ、表示部５４であるモニタを確認しながら識別を開始する。
【００６２】
識別装置８１のＬＥＤフラッシュ部５２が、複数回点滅し、偽造防止媒体１に設けられた蛍光インキ層１２の残光を確認し、例えば、ＯＫという文字と共に撮像画像の１つが表示され、蛍光インキ発光部８４が、表示部５４を通して目視で確認される。
【００６３】
図９は、偽造防止媒体９の平面図を示したもので、蛍光インキ層９２を２次元コード９２’とした場合を示している。
【００６４】
この様な構成の場合には、蛍光インキ層９２上に設けられている絵柄層９３は、２次元コード９２’の読取を妨げない色あるいは形状であることが望ましい。
【００６５】
これは、蛍光インキ層９２から発せられる残光の少なくとも一部を透過し、２次元コード９２’の情報を欠くことなく、読取れる必要があるためである。
【００６６】
従って、蛍光インキ層９２の発光特性が、図３に示す発光波形３１のように、６５０〜７００ｎｍ付近に発光ピークを有する場合には、少なくともこの発光ピーク波長域に対して光透過性を有する色相を主体とした絵柄層９３であることが望ましく、例えば、発光色とは補色の関係にある緑色を主体とした絵柄層９３とすることにより、残光を透過させる
ことが可能となる。
【００６７】
また、絵柄層９３を、２次元コードの各マス目よりも充分に微細なドット状のインキ層の配列とし、且つドット状のインキ層を有しない空隙部分の面積に対し、ドット状のインキ層の面積を小さくすることにより、各ドットの隙間から残光を充分に透過させることが可能となる。
【００６８】
２次元コードの読取については、図１０に、偽造防止媒体９の真贋判定および２次元コード読取を行っている状態の概略図を示した。
【００６９】
図１０では、有価証券類８２に貼付された偽造防止媒体９を識別装置８１で、真贋判定を実施し、真正品であることが確認された後、ＬＥＤフラッシュ部５２を点灯させずに、画像センサ部５１によって撮像したデータと、ＬＥＤフラッシュ部５２を点灯ならびに消光させた後に、画像センサ部５１によって撮像したデータとを比較することにより、絵柄層９３の画像データを除去することで、蛍光インキ層９２の２次元コード９２’の読取を実施することができる。
【００７０】
以上の様に、本発明の偽造防止媒体を用いることにより、特別な専用読取装置を必要とせず、一般に流布している携帯端末や携帯カメラを用いながら、その制御方法によって、簡便な真贋判定を可能とすると共に、高い偽造防止効果を提供することが可能となる。
【実施例】
【００７１】
（偽造防止媒体の作製）
６４ｇ／ｍ２の上質タック紙上に、下記〔蛍光インキの組成〕に示すインキを、オフセット印刷法にて、所定のパターンに印刷し、その上にプロセス藍色インキとプロセス黄色インキを１：１で混合させた緑色インキを、オフセット印刷法にて所定の文字を印刷することにより、偽造防止媒体を得た。
【００７２】
（蛍光インキの組成）
ＳｒＳｃ２Ｏ４：Ｅｕ                                …  ２０重量部
ＵＶ１６１  メジウムＳ（Ｔ＆Ｋ  ＴＯＫＡ社製）     …  ８０重量部
【００７３】
（評価ならびに結果）
上述のようにして作成した偽造防止媒体に対し、ＬＥＤフラッシュを点灯し、消光後、０．１ｍＳｅｃ後、０．２ｍＳｅｃ後、０．３ｍＳｅｃ後の各画像をＣＭＯＳカメラにて撮像し、ＲＧＢフィルタを通したそれぞれの輝度を数値化して記録することができた。
【００７４】
また、ほぼ同時に、ＬＥＤフラッシュを点灯しない時の画像のＲＧＢフィルタを通した輝度値も記録し、両者の輝度を比較して輝度の異なる色を求めたところ、Ｒの輝度値に差があることが検出された。
【００７５】
更に、ＬＥＤフラッシュ消光後の時間によって、輝度が所定の比率で減衰することが確認できた事により、作製した偽造防止媒体は真正品であることが確認できた。
【符号の説明】
【００７６】
１、９      …  偽造防止媒体
１１、９１  …  基材
１２、９２  …  蛍光インキ層
１３、９３  …  絵柄層
１４        …  粘着層
２          …  励起特性グラフ
２１        …  励起波形
３          …  発光特性グラフ
３１        …  発光波形
４          …  残光特性グラフ
４１        …  残光波形
５、８１    …  識別装置
５１        …  画像センサ部
５２        …  ＬＥＤフラッシュ部
５３        …  制御部
５４        …  表示部
６          …  発光特性グラフ
６１        …  ＬＥＤフラッシュの発光特性
８２        …  有価証券類
８４、９４  …  蛍光インキ発光部
９２’      …  ２次元コード
Ｆ１        …  識別装置のカメラを偽造防止媒体に合わせる
Ｆ２        …  焦点はあっているか
Ｆ３        …  ｎ＝０とする
Ｆ４        …  ＬＥＤフラッシュをｔ秒点灯する
Ｆ５        …  ＬＥＤフラッシュ消光後、ｎ×ｓ秒後のＲＧＢ輝度を測定
Ｆ６        …  ｎ＝ｎ＋１とする
Ｆ７        …  Ｚ＜ｎであるか
Ｆ８        …  ＬＥＤフラッシュ未点灯時のＲＧＢ輝度測定
Ｆ９        …  各ＲＧＢ輝度値の比較実施
Ｆ１０      …  各ＲＧＢ輝度比が適性範囲内か
Ｆ１１      …  ＯＫ表示／コード読取
Ｆ１２      …  ＮＧ表示
【図１】
2018132805.tif 000003
【図２】
2018132805.tif 000004
【図３】
2018132805.tif 000005
【図４】
2018132805.tif 000006
【図５】
2018132805.tif 000007
【図６】
2018132805.tif 000008
【図７】
2018132805.tif 000009
【図８】
2018132805.tif 000010
【図９】
2018132805.tif 000011
【図１０】
2018132805.tif 000012